(57)【要約】【課題】 本発明はディスプレイなどが設けられた回動可能な筐体を有する、携帯端末装置に関するものであり、筐体の回動時に生じる可能性のある筐体のガタツキを低減させることを目的とする。【解決手段】第二の筐体１が軸支される第一の筐体２の、第二の筐体に対面する位置に、突起２３を形成する。第二の筐体１の面は突起２３に接触し、これによって第二の筐体１のガタツキが防止される。なお、第二の筐体１を突起２３に向けて付勢することにより、ガタツキ度合いをさらに低減させることができる。【選択図】図３
2008252533.tif 000002
【特許請求の範囲】
【請求項１】
第一の筐体と、
第二の筐体と、
前記第一の筐体と前記第二の筐体とを、回動可能に軸支する支持機構と、を備え、
前記第一の筐体は突起部を有し、
前記突起部が、回動された状態における前記第二の筐体の辺に接触するよう配置されることを特徴とする、端末装置。
【請求項２】
前記端末装置において、
前記支持機構は、前記第二の筐体を、前記突起方向に付勢する付勢機構を備えることを特徴とする、請求項１に記載の端末装置。
【請求項３】
前記端末装置において、
前記支持機構は、前記第二の筐体が前記突起部から離間する位置と、前記第二の筐体が前記突起部に接触する位置との間で移動可能に、前記第二の筐体を支持することを特徴とする、請求項１に記載の端末装置。
【請求項４】
前記第二の筐体には表示部が設けられ、
第一の状態では、前記表示部が縦長に配置されると共に、前記第二の筐体の短辺が前記突起部に接触し、
第二の状態では、前記表示部が横長に配置されると共に、前記第二の筐体の長辺が前記突起部に接触するよう構成されたことを特徴とする、請求項１に記載の端末装置。
【請求項５】
前記突起は、所定の高さを有する中央部と、
その高さが中央部から離れるにしたがって次第に減少する端部とを有することを特徴とする、請求項１に記載の端末装置。
【請求項６】
第一の筐体と、
前記第一の筐体に対して開閉可能に軸支されるヒンジを有する第二の筐体と、
表示部を有し、前記第二の筐体に対して回動可能に軸支される第三の筐体とを備え、前記表示部が縦長配置と横長配置とに選択的に配置可能な携帯端末装置であって、
前記第二の筐体は、前記第三の筐体を回動可能に軸支する回動機構と、前記筐体の一部に形成された突起部を有し、
前記表示部が縦長配置あるいは横長配置された状態で、前記突起部が、前記第三の筐体の辺に接触することを特徴とする、端末装置。
【請求項７】
前記突起は、前記第二の筐体の長手方向で、前記ヒンジが配置された側に形成されていることを特徴とする、請求項６に記載の端末装置。
【請求項８】
前記第一の筐体には、情報入力のためのキーが配置されていることを特徴とする、請求項６に記載の端末装置。
【請求項９】
前記回動機構は、前記第二の筐体に取り付けられる第一の部材と、前記第三の筐体に取り付けられる第二の部材とを有し、
前記第二の部材は前記第一の部材に対して回動可能に支持されていることを特徴とする、請求項８に記載の端末装置。
【発明の詳細な説明】
【技術分野】
【０００１】
本発明は携帯端末装置に関し、特に装置の筐体に対して可動となる可動筐体を有する形態端末装置に関する。また、本発明は、可動筐体と筐体との回動機構に関する。
【背景技術】
【０００２】
近年、携帯電話装置をはじめとする携帯端末装置において、筐体に対して回動可能に取り付けられた可動筐体を設けることが行われるようになってきている。
【０００３】
携帯電話装置を例に取ると、通常の携帯電話装置では一般的にその表示画面が縦長になるように、表示部が設けられている。ここで、テレビ放送を受信するための、いわゆる「ワンセグ」（携帯電話・移動体端末向けの1セグメント部分受信サービス）機能が携帯電話装置に搭載されるようになって来た。
【０００４】
ところが、テレビ放送は一般的に横長表示画面で表示されるものであるため、携帯電話装置に設けられた縦長表示画面では、テレビ放送の視聴に支障をきたす。そのため、携帯電話装置の表示画面を可動筐体に取り付け、可動筐体を回動させることで表示部を縦長配置と横長配置とに切り替えることが、行われるようになってきた。
【０００５】
図７は、従来の携帯電話装置の筐体構成を示す図面である。ここで例示される携帯電話装置は、折りたたみ式の装置であるものとする。折りたたみ式携帯電話装置では、キーなどを有する第一の筐体に、表示部などを有する第二の筐体が軸支されている。図１は、このうち表示部を有する側の筐体を示している。
【０００６】
第二の筐体は、第一の筐体に対してヒンジにより軸支されるアーム部と、アーム部に対して軸支され、左右方向に倒すことが可能な可動ケース部とを有する。可動ケース部には各種情報を表示する液晶表示板などの表示部が設けられている。
【発明の開示】
【発明が解決しようとする課題】
【０００７】
ここで、可動ケース部をアーム部に対して回動可能とするためには、可動ケース部とアーム部との間に、ある程度の隙間を確保する必要があった。図７に図示された装置の例では、この隙間は１ｍｍ程度であるものを想定している。このような隙間を形成する必要があるため、結果として携帯電話装置の長手方向の寸法を小さくできないという問題が生じていた。特に携帯電話装置などの装置では、装置寸法を少しでも小さくすることが強く要望されており、たとえ１ｍｍ程度の隙間であっても装置の小型化を拒む要因を避けなければならないという事情がある。
【０００８】
また、従来の携帯電話装置では、可動ケース部を右あるいは左側に倒した状態でも、可動ケース部とアーム部との間に隙間が残っていた。この状態では、可動ケース部を支持するのは回動軸のみとなるため、倒された可動ケース部にガタが生じて可動ケース部が安定せず、利用者による操作性などが低下する要因となっていた。
【０００９】
本発明は、上記の課題に鑑み、可動ケース部とアーム部との間の隙間を解消することができる携帯端末装置あるいは回動機構を実現することを目的とする。
【課題を解決するための手段】
【００１０】
上記課題を解決するために、本発明は、第一の筐体と、第二の筐体と、前記第一の筐体と前記第二の筐体とを回動可能に軸支する支持機構とを備え、前記第一の筐体は突起部を有し、前記突起部が回動された状態における前記第二の筐体の辺に接触するよう配置される端末装置であることを特徴とする。
【００１１】
特に、本発明は、前記支持機構が、前記第二の筐体を前記突起方向に付勢する付勢機構を備えることを特徴とする。
【００１２】
一方、本発明は、前記支持機構が、前記第二の筐体が前記突起部から離間する位置と、前記第二の筐体が前記突起部に接触する位置との間で移動可能に前記第二の筐体を支持することを特徴とする。
【００１３】
さらに本発明は、前記第二の筐体には表示部が設けられ、第一の状態では前記表示部が縦長に配置されると共に、前記第二の筐体の短辺が前記突起部に接触し、第二の状態では、前記表示部が横長に配置されると共に、前記第二の筐体の長辺が前記突起部に接触するよう構成されたことを特徴とする。
【００１４】
またさらに、本発明は、前記突起が、所定の高さを有する中央部と、その高さが中央部から離れるにしたがって次第に減少する端部とを有することを特徴とする。
【００１５】
その一方、本発明は、第一の筐体と、前記第一の筐体に対して開閉可能に軸支されるヒンジを有する第二の筐体と、表示部を有し、前記第二の筐体に対して回動可能に軸支される第三の筐体とを備え、前記表示部が縦長配置と横長配置とに選択的に配置可能な携帯端末装置であって、前記第二の筐体は、前記第三の筐体を回動可能に軸支する回動機構と、前記筐体の一部に形成された突起部を有し、前記表示部が縦長配置あるいは横長配置された状態で、前記突起部が、前記第三の筐体の辺に接触することを特徴とする。
【００１６】
特に本発明は、前記突起が、前記第二の筐体の長手方向で前記ヒンジが配置された側に形成されていることを特徴とする。
【００１７】
また、本発明は、前記第一の筐体には情報入力のためのキーが配置されていることを特徴とする。
【００１８】
一方、本発明は、前記回動機構が、前記第二の筐体に取り付けられる第一の部材と、前記第三の筐体に取り付けられる第二の部材とを有し、前記第二の部材は前記第一の部材に対して回動可能に支持されていることを特徴とする。
【発明の効果】
【００１９】
上記のように、本発明によれば、携帯端末装置の長手方向の寸法縮小が可能となる。
【００２０】
また、本発明によれば、突起に対して筐体を押し付けることができることから、可動筐体の回動の前後で可動筐体にガタを生じる可能性を減らすことが可能となり、筐体回動時の操作性を改善できる。
【発明を実施するための最良の形態】
【００２１】
図１は、本発明の一実施形態による携帯電話装置の外観を示す図面である。なお、ここでは携帯端末装置の一例として携帯電話装置を示すが、本発明の適用対象が携帯電話装置に限定されることを意図したものではない。
【００２２】
図１に示される携帯電話装置は、図６に図示された装置と同様、いわゆる折りたたみ式の筐体を有する携帯電話である。折りたたみ式筐体は、入力キーなどが設けられた筐体（以下「固定側筐体」と称す）に対してディスプレイなどが設けられた筐体（以下「可動側筐体」と称す）が、ヒンジによって回動可能に軸支された構成を有している。
【００２３】
図１は特に、可動側筐体を図示している。可動側筐体は、固定側筐体に対して軸支されるヒンジ２１を有するアーム部２と、アーム部２に対して図示されない回動軸によって軸支される可動ケース部１とを有する。図１（ａ）は固定側筐体に対して可動側筐体を閉じた場合に、携帯電話装置の外側に面する側を、図１（ｂ）は同じく携帯電話装置の内側に面する側を、それぞれ示している。図面上では明確には示されていないが、図１（ｂ）に図示された可動ケース部１の面には、表示部が形成されている。表示部は通常時、図示上下方向に沿って、縦長になるように配置されている。
【００２４】
図２は、可動側筐体の分解斜視図である。アーム部２は、２つのケース２ａ、２ｂを有し、ケース２ａにスイングモジュール３がネジ２２によって固定される。スイングモジュール３は、可動ケース部１をアーム部２に対して回動可能に軸支する機能を有する。スイングモジュール３のベース部３ａは、アーム部２のケース２ａにネジ止めされる。一方、スイングモジュール３の可動部３ｂは、可動ケース部１にネジ止めされる。
【００２５】
スイングモジュール３の可動部３ｂの中央付近に設けられた丸穴３１は、可動部３ｂの回動中心となる。この回動中心３１は、ベース部３ａに形成された図示上下方向に延びる長穴３２にはめ込まれており、可動部３ｂは長穴３２に沿って図示上下動が可能となっているとともに、長穴３２内で回動中心３１に沿って回動可能となっている。なお、ベース部３ａには図示されない（図２上はベース部３ａの裏側に配置される）バネが設けられている。ベース部３ａのバネにより、可動部３ｂは図示上方に常に付勢されている。
【００２６】
また、可動部３ｂの外周には、計３ヶ所に凹部３３が形成されている。一方、ベース部３ａの図示上部には、図示丸型のストッパ３４が形成されている。可動部３ｂは常にバネによって図示上方に付勢されており、可動部３ｂのいずれかの凹部３３がストッパ３４と係合した状態となる。可動部３ｂを図２図示下方に動かすることで、凹部３３とストッパ３４との係合状態が解除され、この状態で可動部３ｂを回動させることによって他の凹部３３をストッパ３４の部分に位置させることができる。凹部３３とストッパ３４とを係合させることによって、可動部３ｂを、ひいては可動ケース部１を所定位置に固定させることができる。
【００２７】
図２では、凹部３３は可動部３ｂ上で、９０度間隔で配置されている。このため、本実施形態による携帯電話装置では、可動ケース３ｂを縦長状態と、横長状態（左右の２状態）とに配置して固定することが可能となっている。
【００２８】
図３は、アーム部２のケース２ａを示した斜視図である。ケース２ａの上端付近には、突起部２３が形成されている。この突起部２３は、両端部にテーパー２３ａが形成されている。突起部２３の作用については、可動ケース部１の回動動作に合わせて説明する。
【００２９】
図４は、可動側筐体の要部を拡大した側面図である。アーム部２に形成された突起２３は、可動ケース部１の側面に接触するような形状・高さに形成されている。また、前述の通り、可動ケース部１はアーム部２に対して、バネ力によって図４図示右側に付勢されていることから、可動ケース部１は突起２３に対して押し付けられた状態となり、可動ケース部１のガタつきが防止される。
【００３０】
なお、図４の例では、突起２３の高さは０．３ｍｍ、その奥行きは５．５ｍｍ程度の大きさである。従来の携帯電話装置と比較すると、可動ケース部１が常にアーム部２に対して押し付けられていることから、隙間として確保されていた１ｍｍから突起２３の高さ０．３ｍｍを差し引いた０．７ｍｍ程度だけ、携帯電話装置の長手方向の寸法を小さくすることが可能となる。
【００３１】
図５は、本実施形態による携帯電話装置の、可動ケース部１の回動状態を示す図面である。図５（ａ）は、可動ケース部１が回動する前の状態を示している。
【００３２】
既に述べたとおり、アーム部２にはスイングモジュール３のベース部３ａが取り付けられている。一方、可動ケース部１側にはスイングモジュール３の可動部３ｂが固定されている。ベース部３ａにはバネ３５が設けられており、可動ケース部１の回動軸ともなっている可動部３ｂを図示矢印方向、つまりアーム部２に向けて付勢している。これにより、可動ケース部１の底面１５が、アーム部２に形成された、図４に示された可動ケース受け用の突起２３に押し付けられ、可動ケース部１がガタつくことが防止される。
【００３３】
図５（ｂ）は、可動ケース部１を図示右側に回動させる状態を説明する図面である。可動ケース部１を回動させる場合、利用者は可動ケース部１を所望の方向に向けて倒す。図５（ｂ）の状態では、図示弧状の矢印方向に向けて、利用者によって力が加えられる。このとき、可動ケース部１の下端部の角、図５（ｂ）の例では図示右下の角１６が、アーム部２に形成された突起２３に乗り上げる。
【００３４】
先に述べたとおり、突起２３の両端はテーパー状に形成されており、中央部付近の高さと比較して、突起２３の両端部の高さは低くなっている。
【００３５】
また、スイングモジュール３は単純な回動軸によって可動ケース部１を軸支しているのではなく、可動ケース部１の回動時にベース部３ａに対して可動部３ｂが図５図示上下方向に揺動できる構造となっている。図５（ｂ）では、図５（ａ）と比較して、可動ケース部１および可動部３ｂが上方に位置している点が図示されている。なお、図５（ｂ）の状態でも、可動ケース部１はバネ３５の作用によって図示下矢印方向に付勢され続けている。
【００３６】
このような突起２３の形状と、スイングモジュール３の作用とによって、通常状態ではその底面がアーム部２に押し付けられている可動ケース部１を、アーム部２に対して回動させることが可能となる。
【００３７】
図５（ｂ）の状態でさらに可動ケース部１を図示右側に倒すと、可動ケース部１の下端角１６が突起２３の中央付近を過ぎるまで、可動ケース部１がアーム部２に対して図示上方に押し上げられる。そして、可動ケース部１の下端角１６が突起２３の中央部を通過すると、バネ３５の付勢力によって可動ケース部１がアーム部２に対して押し付けられる。
【００３８】
図５（ｃ）は、可動アーム部１を図示右側に倒しきった状態を示す図面である。図５（ｃ）の状態では、横長状に配置された可動ケース部１がスイングモジュール３のバネ３５によって図示下矢印方向に付勢され、図５（ａ）で図示されていた可動ケース部１の側面（長辺側の面）がアーム部２の突起２３に対して押し付けられる。突起２３のほぼ全面が可動ケース部１の側面に接触した状態で可動ケース部１がアーム部２に対して押し付けられているため、可動ケース部１はアーム部２に対してガタつきが生じない状態で位置決めされる。
【００３９】
なお、スイングモジュール３のバネ３５のバネ荷重を変えることによって、可動ケース部１をスイングさせる動作力を自由に調整することも可能となる。
【００４０】
図６は、本発明の一実施形態による携帯電話装置の外観を示す図面である。
【００４１】
図６に示されるように、本実施形態による携帯電話は、アーム部２に固定側筐体４がヒンジを介して開閉可能に軸支されている。また、可動ケース部１には表示部１７が設けられており、可動ケース部１をアーム部２に対して回動させることで、表示部１７を縦長あるいは横長に配置することが出来る。図６（ａ）は表示部１７が縦長方向に配置された状態を示している。また、図６（ｂ）は、可動ケース部１を図示右側に少し倒した状態を示している。
【００４２】
また、固定側筐体４には、数値キーなど情報を入力・選択するためのキー４１が設けられている。
（付記１）
第一の筐体と、
第二の筐体と、
前記第一の筐体と前記第二の筐体とを、回動可能に軸支する支持機構と、を備え、
前記第一の筐体は突起部を有し、
前記突起部が、回動された状態における前記第二の筐体の辺に接触するよう配置されることを特徴とする、端末装置。
（付記２）
前記端末装置において、
前記支持機構は、前記第二の筐体を、前記突起方向に付勢する付勢機構を備えることを特徴とする、付記１に記載の端末装置。
（付記３）
前記端末装置において、
前記支持機構は、回動軸となる部材を有する第一の部材と、
前記回動軸部材を回動可能に、且つ前記第二の筐体が前記突起部に接触する位置と前記突起から離間する位置とに移動可能に支持する開口を有する第二の部材とを有し、
前記付勢機構は前記第一の部材に設けられ、前記回動軸部材を付勢することを特徴とする、付記２に記載の端末装置。
（付記４）
前記端末装置において、
前記支持機構は、前記第二の筐体が前記突起部から離間する位置と、前記第二の筐体が前記突起部に接触する位置との間で移動可能に、前記第二の筐体を支持することを特徴とする、付記１に記載の端末装置。
（付記５）
前記端末装置において、
前記支持機構は、前記第二の筐体の移動方向に延びる開口を有する第一の部材と、
前記開口に、前記第一の部材に対して回動可能に装着される第二の部材と、を備えることを特徴とする、付記４に記載の端末装置。
（付記６）
前記第二の筐体には表示部が設けられ、
第一の状態では、前記表示部が縦長に配置されると共に、前記第二の筐体の短辺が前記突起部に接触し、
第二の状態では、前記表示部が横長に配置されると共に、前記第二の筐体の長辺が前記突起部に接触するよう構成されたことを特徴とする、付記１に記載の端末装置。
（付記７）
前記突起は、所定の高さを有する中央部と、
その高さが中央部から離れるにしたがって次第に減少する端部とを有することを特徴とする、付記１に記載の端末装置。
（付記８）
第一の筐体と、
前記第一の筐体に対して開閉可能に軸支されるヒンジを有する第二の筐体と、
表示部を有し、前記第二の筐体に対して回動可能に軸支される第三の筐体とを備え、前記表示部が縦長配置と横長配置とに選択的に配置可能な携帯端末装置であって、
前記第二の筐体は、前記第三の筐体を回動可能に軸支する回動機構と、前記筐体の一部に形成された突起部を有し、
前記表示部が縦長配置あるいは横長配置された状態で、前記突起部が、前記第三の筐体の辺に接触することを特徴とする、端末装置。
（付記９）
前記突起は、前記第二の筐体の長手方向で、前記ヒンジが配置された側に形成されていることを特徴とする、付記８に記載の端末装置。
（付記１０）
前記第一の筐体には、情報入力のためのキーが配置されていることを特徴とする、付記８に記載の端末装置。
（付記１１）
前記端末装置は携帯電話装置であることを特徴とする、付記８に記載の端末装置。
（付記１２）
前記回動機構は、前記第二の筐体に取り付けられる第一の部材と、前記第三の筐体に取り付けられる第二の部材とを有し、
前記第二の部材は前記第一の部材に対して回動可能に支持されていることを特徴とする、付記８に記載の端末装置。
（付記１３）
前記回動機構は、前記第三の筐体を前記突起部に対して付勢する付勢手段を備えていることを特徴とする、付記１２に記載の端末装置。
（付記１４）
前記回動機構において、
前記第一の部材と前記第二の部材とを、所定の位置で固定させるストッパ機構を有することを特徴とする、付記１２に記載の端末装置。
【図面の簡単な説明】
【００４３】
【図１】本発明の一実施形態による携帯電話装置の筐体外観を示す図面である。
【図２】位置実施形態による携帯電話装置の筐体分解斜視図である。
【図３】一実施形態によるアーム部の斜視図である。
【図４】一実施形態による可動側筐体の要部拡大図である。
【図５】一実施例による携帯電話装置の筐体回動状態を示す図面である。
【図６】本発明の一実施例による携帯電話装置の外観を示す図面である。
【図７】従来の携帯電話装置の筐体外観を示す図面である。
【符号の説明】
【００４４】
１    可動ケース部
２    アーム部
２３  突起
３    スイングモジュール
【図１】
2008252533.tif 000003
【図２】
2008252533.tif 000004
【図３】
2008252533.tif 000005
【図４】
2008252533.tif 000006
【図５】
2008252533.tif 000007
【図６】
2008252533.tif 000008
【図７】
2008252533.tif 000009